(57)【要約】【課題】カバンとしての機能を損なわず、携帯機器等に必要な電源を簡便に確保可能とする。【解決手段】持ち運びが可能なカバン１の外部に太陽光発電パネル２が設けられ、さらに、上下・前後加速度等のカバン１を持ち運ぶ移動時に生じる作用力を用いた発電器と、この発電器によって発電された電源を所定の電池へ充電させる出力端子８とを有し構成される。さらに、カバン１の外部へ引き出せるＡＣ電源入力端子４、ＤＣ電源入力端子５と、カバン１の内部に充電ユニット回路６、及びバッテリー７を設け、電子機器への充電および駆動を可能とする。本構成により、電源供給機能、逐電（充電）機能を有した機構をコンパクトに集積し、常に持ち運ぶカバンに本来のカバンとしての機能を損なわず装備し、必要な電源を簡便に確保可能とする。【選択図】　　　　図１
2004040896.tif 000002
【特許請求の範囲】
【請求項１】
持ち運びが可能なカバンと、
前記カバンの内部または外部に設けられ、前記持ち運び移動時に生じる上下・前後加速度等の作用力を用いた発電器と、
前記発電器によって発電された電源を所定の電池へ充電させる充電器と、を有し構成されたことを特徴とする充電器搭載カバン。
【請求項２】
前記発電器は、前記持ち運び移動時に生じる作用力により可動とされたマグネットと、該マグネットと隣接されて配置されたコイルとを有して構成されたことを特徴とする請求項１記載の充電器搭載カバン。
【請求項３】
前記カバンの外部表面部に光発電器がさらに設けられ、前記発電器と伴に前記充電のための電源を発生させることを特徴とする請求項１または２記載の充電器搭載カバン。
【請求項４】
前記マグネットはリング形状であり、該リングへ貫通され該マグネットの移動方向を規制するシャフトがさらに設けられ、該シャフトに沿って移動する前記マグネットの外周部に前記コイルが筒状に配置され、該筒状内を前記マグネットが移動することにより、前記発電がされることを特徴とする請求項２または３記載の充電器搭載カバン。
【請求項５】
前記マグネットの移動範囲を規制し、且つ可動端部において反発力を生じさせるためのマグネットを、前記シャフトの両端部にさらに設けたことを特徴とする請求項４記載の充電器搭載カバン。
【請求項６】
前記所定の電池へ充電させる電源を前記カバン内へ入力するためのＡＣ電源プラグおよびＤＣ電源プラグと、さらに前記電池へ充電させる電源を前記カバン外へ出力させるためのプラグとを、さらに設けたことを特徴とする請求項１から５の何れかに記載の充電器搭載カバン。
【発明の詳細な説明】
【０００１】
【発明の属する技術分野】
本発明は、充電器搭載カバンに関し、とくに、携帯機器への充電システムを搭載した充電器搭載カバンに関する。
【０００２】
【従来の技術】
従来、カバンは一般に、携帯電話器、モバイルコンピュータ等の携帯型の機器を収納して旅行時等に運搬され用いられる。また、現在、移動先でよく利用されている電子携帯機器として、携帯電話、モバイルＰＣ（ＰＤＡ）、デジタルカメラ等の多種多用の物が利用されている。
【０００３】
上記のような、近年の状況において、これらの電子携帯機器の電源として簡易な充電式電池が使われている。しかし、電池容量には限りがあり、長期の出張および移動時には、機器使用時間を予想し電池の消耗を考慮した電源の確保の為に、各種の充電機器や予備の電池等を準備し持ち運ぶか、または、現地にて電池などを調達し、稼動させる電源を確保する必要がある。
【０００４】
本発明と技術分野の類似する先願発明例１として、特開２００１−２０４５３０号公報の「カバン等の身の回り品」がある。本先願発明例１では、圧電発電機と、整流回路と、充電器とを設け、電池等を交換使用することなく、カバン等の身の回り品を持ち歩くだけで発光体を自動的に、かつ、半永久的に発光させることが可能となる、としている。
【０００５】
【発明が解決しようとする課題】
しかしながら、上記従来の技術においては、持ち運ぶ電子携帯機器毎に充電器・電源が各種多彩にあり、全てを携帯するには、物量的にも多くなり、持参するのを忘れてしまうことも多々ある。また、移動先での現地調達にしても、容易に入手し難い部品もあり得る。特に、移動先（国内、海外）での状況により、確実に電源を確保できるとは限らない場合がある。また、緊急に対応を採ることが難しい場面も生じ得る問題点を伴う。
【０００６】
上記の先願発明例１では、自身に装備された発光体による発光のための電源の確保を目的としている。なお、発電には圧電素子を用い、この圧電発電器内に吊持された剛球を揺動させて殴打して発電するように構成している。
【０００７】
本発明は、携帯機器の充電を簡易に可能とする移動に便利な多機能な充電器搭載カバンを提供することを目的とする。より詳細には、本発明は、自己発電機構、多種の外部電源等を利用した電源供給機能、逐電（充電）機能を有した機構をコンパクトに集積し、常に持ち運ぶカバンに本来のカバンとしての機能を損なわず装備し、必要な電源を簡便に確保可能とした充電器搭載カバンを提供することを目的とする。
【０００８】
【課題を解決するための手段】
かかる目的を達成するため、本発明の充電器搭載カバンは、持ち運びが可能なカバンと、カバンの内部または外部に設けられ、持ち運び移動時に生じる上下・前後加速度等の作用力を用いた発電器と、発電器によって発電された電源を所定の電池へ充電させる充電器と、を有し構成されたことを特徴としている。
【０００９】
また、上記の発電器は、持ち運び移動時に生じる作用力により可動とされたマグネットと、該マグネットと隣接されて配置されたコイルとを有し、カバンの外部表面部に光発電器がさらに設けられ、発電器と伴に充電のための電源を発生させるとよい。
【００１０】
さらに、上記マグネットはリング形状であり、該リングへ貫通され該マグネットの移動方向を規制するシャフトが設けられ、該シャフトに沿って移動するマグネットの外周部にコイルが筒状に配置され、該筒状内をマグネットが移動することにより発電がされ、マグネットの移動範囲を規制し、且つ可動端部において反発力を生じさせるためのマグネットを、シャフトの両端部に設け、所定の電池へ充電させる電源をカバン内へ入力するためのＡＣ電源プラグおよびＤＣ電源プラグと、電池へ充電させる電源をカバン外へ出力させるためのプラグとを設けるとよい。
【００１１】
【発明の実施の形態】
次に、添付図面を参照して本発明による充電器搭載カバンの実施の形態を詳細に説明する。図１から図１４を参照すると、本発明の充電器搭載カバンの一実施形態が示されている。本実施例に適用される自己発電の種類として、（１）太陽光発電パネル（太陽電池）、（２）水平移動力、上下往復移動力を用いた発電、（３）ダイナモ（回転機械式発電）、の各例を、図１〜図１４において示している。
【００１２】
図１は、外観斜視図であり、カバンの外部に太陽電池パネルを取り付けた実施例を示している。また、図２〜図４は、内部構成の概要を示す縦断面図である。本実施例では、電源確保のための発電機能として、１つ以上の組み合わせ機能を使用する形態例を示している。なお、本実施例を示す図２〜図４では、これらの自己発電と、外部のＡＣ電源またはＤＣ電源からの入力プラグを併設した場合の構成例を示している。
【００１３】
外部電源からの取り込みの機能としては、ＡＣ電源（ＡＣ１００Ｖ〜ＡＣ２４０Ｖ）、充電式電池、自動車からの電源等、からの夫々に対応した取り込み用プラグを備えている。
【００１４】
取り込み電源の利用方法として、自己発電・外部電源より携帯電話機などへダイレクトに充電する場合、自己発電・外部電源より受電式電池へ受電する場合、上記機能で充電した充電式電池から携帯電話機等へ充電する場合等、の対応が考えられる。
なお、充電式電池の利用は、デジカメ等、携帯電子機器の予備・交換電池としての各種の利用が考えられる。
【００１５】
太陽電池パネル２，２は、カバン１の上部平面部の取っ手３の左右に設けた場合を示している。太陽電池パネル２、２を設ける位置は、本実施例に限られず、取っ手３、カバン１の前後・左右等の側面部への取り付けも考えられる。
【００１６】
図２は、カバン１の内部構成例１を示している。本実施例では、カバンの外部へ引き出せるＡＣ電源入力端子４、ＤＣ電源入力端子５と、カバン１の内部に充電ユニット回路６、及びバッテリー７を設け、電子機器への充電および駆動電源用の出力端子８を設けている。なお、ＡＣ電源入力端子４はＡＣ１００Ｖの入力用であり、ＤＣ電源入力端子５は、自動車バッテリーからのＤＣ電源入力用である。出力端子８は、モバイル機器用の電源供給端子である。
【００１７】
図３は第１の発電装置例であり、図２の実施例に加えて、カバン１の上下移動力を用いた発電部を、カバン１の内部に構成した例を示している。本実施例では、カバン１の上下移動力を用いた発電部として、例えば、固定コイルと、カバン１の上部からスプリング１１で吊り下げられた永久磁石（マグネット）１０とを近接して設けている。本構成の発電部は、カバン１の上下移動によりマグネット１０が上下移動を行い、この上下移動に伴い固定コイル内に電力が発電される発電構造を構成している。
【００１８】
図４は第２の発電装置例であり、図２の実施例に加えて、カバン１の前後移動力を用いた発電部を、カバン１の内部に構成した例を示している。本実施例では、カバン１の前後移動力を用いた発電部として、例えば、鍋底断面形状またはシーソ状の固定コイルと、本シーソ状の固定コイルに沿って左右方向へ可動状態に設けられた永久磁石（マグネット）とを、相互に近接して構成している。本構成の発電部は、カバン１の前後移動によりマグネットが固定コイル内をシーソ移動し、この移動に伴い固定コイル内に電力が発電される、発電構造を構成している。
【００１９】
図５は図３に示した第１の発電装置例をより具体的に示しており、図３のカバン１の上下移動力を用いた発電部の、より詳細な構成例を示す図である。本図５において、発電部は、上下方向のシャフト１３と、本シャフト１３に貫通されたリング形状の可動マグネット１０と、中空のコイル１４がシャフト１３に沿って配置され、シャフト１３の最下部に可動マグネット１０とＮＳ磁局方向が逆に設定された固定マグネット１２が配置されて構成される。
【００２０】
上記構成の上下移動になる往復発電装置は、可動マグネット１０を上下方向へ往復させるために、バネ（スプリング）を可動マグネットと連結し、このスプリングの伸縮特性を利用し、カバン１を持って移動することにより、可動マグネット１０を上下往復移動可能としている。この可動マグネット１０の往復移動に伴い、コ１４イルに起電流が発生する。この起電流をユニット６を介してバッテリー７に蓄電（充電）させる。なお、固定マグネット１２は、下端位置にて可動マグネット１０へ反発力を生じさせる目的で設けられている。
【００２１】
図６は図４に示した第２の発電装置例をより具体的に示しており、図４のカバン１の左右移動力を用いた発電部の、より詳細な構成例を示す図である。本図６において、いわゆる振り子タイプの発電部は、左右方向に弓状のシャフト１５と、本シャフトに貫通されたリング形状の可動マグネット１０と、シャフト１５に沿って配置された中空のコイル１４と、シャフトの左右両端部に可動マグネット１０とＮＳ磁局方向が逆に設定された固定マグネット１２が配置されて構成される。
【００２２】
上記構成の左右移動になる振り子状の発電装置は、可動マグネット１０を左右方向へ往復移動させるために、弓状に構成している。本構成により、カバン１を持って移動することにより、可動マグネット１０を前後往復移動可能としている。この可動マグネット１０の往復移動に伴い、コイル１４に起電流が発生する。この起電流をユニット６を介してバッテリー７に蓄電（充電）させる。なお、シャフトの両端部に設けられた固定マグネット１２は、両端位置にて可動マグネット１０へ反発力を生じさせる目的で設けられている。
【００２３】
図７は、図５および図６の発電装置のより詳細な構成内容を示している。本図７の発電装置は、シャフト１３、マグネット１０、ストッパー用の固定マグネット１２、１２、コイルボビン１４およびユニット回路６を有して構成される。
シャフト１３は、マグネット１０が往復移動するためのいわゆるレールの働きをする。
【００２４】
マグネット１０は、コイル１４に起電力を起こさせるための永久磁石である。本マグネット１０は中空構造とされ、中空部にベアリング２０が取りつけられ、このベアリング２０の中心軸部にはシャフト１３が挿入され、シャフト上を自在に可動状態に構成される。
ストッパー１２，１２は、シャフト１３の左右両端部に取り付けられ、左右夫々のシャフト側には１０マグネットとの衝突を和らげると伴に、反転移動をスムーズに行わせるための緩衝用の磁石が取りつけられる。なお、このＮＳ磁極方向は、マグネット１０と逆方向である。
【００２５】
コイルボビン１４は、マグネット１０のシャフト上での移動に伴い、起電するためのコイルである。なお、本実施例では本コイルは、複数のボビンに形成されたコイルの連結接続により構成される。
上記の構成により、コイルボビン１４の中空部分の中をマグネット１０が通過することにより、コイル１４に起電流が生じる。この発生した電流をユニット６に取り込み、バッテリー７に蓄電させる。
【００２６】
図８および図９は、振り子シーソー式の発電装置の構成例を示している。図８および図９において、振り子シーソー式の発電装置は、弓形状のベース２１上に複数個のバランサー（錘）２２、２２、２２が設置され、振り子の左右に自由移動可能に構成されている。弓形状のベース２１の下部には、歯型の切り込みが形成されており、ＤＣモータ（ダイナモ）３０と歯車で連結されている。
【００２７】
本振り子の両端部にはマグネット４０が設置されている。この振り子の両端部の可動状のマグネット４０に対応する位置であり、この振り子の左右可動範囲の両端部にＮＳ極性が逆の固定状のマグネット５０、５０が設置されている。これら可動状および固定状のマグネット４０、５０は、近接すると反発力が発生するように構成されている。
【００２８】
上記構成の振り子シーソー式の発電装置は、カバン１の持ち運び時に、振り子が移動し、この移動によってＤＣモータ３０が回転され、発電が行われる。ＤＣモータ３０のコイルは、上に記述の発電装置と同様に充電ユニット６へ接続され、電池への充電が可能とされる。
【００２９】
図１０〜図１１は、カバン１の機構における実施例を示している。図１０は、カバン機構の実施例の基本構成例を示している。図１０において、カバン１の下部に移動用のタイヤ２５が設けられており、このタイヤ２５の回転力が、発電用のダイナモ３０へ連結されている。このダイナモ３０は、充電ユニット６からバッテリー７へと接続されている。
【００３０】
図１１は、上記構成のカバン１の上部に設けられた折り畳み式の取っ手７０の構造例を示している。折り畳んだ状態と、広げた場合の形状の概要例を示している。
また、図１２は、使用状態例を示している。取っ手７０を立ち上げた状態とし、片手で持って、運搬者の側面部において、伴走させる。この伴走時のタイヤ２５の回転力により、発電装置を駆動させる。
【００３１】
図１３および図１４は、カバン１の他の実施例を示している。図１３において、カバン１の上面部には、発電用の充電パネル（太陽電池パネル）２、２が設けられ、また、充電パネル２、２の近傍に発電・充電、確認ランプが設けられている。取っ手の近傍にはスピーカおよびブザーが設けられ、さらに、取っ手本体部にはスイッチ等が設けられている。
【００３２】
図１４は、取っ手部の拡大図であり、取っ手に設けられたスイッチの構成例を示している。本図１４において、取っ手には、ラジオ用のＯＮ／ＯＦＦスイッチ８０と、盗難防止用のＯＮ／ＯＦＦスイッチ８１とが構成されている。
【００３３】
上記構成における、盗難防止スイッチは、電子ロック（暗証番号入力により開閉）用、振動スイッチにより盗難を検知して作動する警告ランプ、ブザー用、のスイッチＯＮ／ＯＦＦ用である。
また、ラジオ（緊急災害時）、発電・充電確認用表示、ランプ、ブザー用のスイッチとしても機能させることができる。
【００３４】
【発明の効果】
以上の説明より明らかなように、本発明の充電器搭載カバンは、持ち運びが可能なカバン１と、カバンの内部または外部に設けられ、上下・左右加速度等の持ち運び移動時に生じる作用力を用いた発電器と、発電器によって発電された電源を所定の電池へ充電させる充電器とを有し構成されている。カバン１の内部は、カバンの外部へ引き出せるＡＣ電源入力端子４、ＤＣ電源入力端子５と、カバン１の内部に充電ユニット回路６、及びバッテリー７を設け、電子機器への充電および駆動電源用の出力端子８を設けている。本構成により、電源供給機能、逐電（充電）機能を有した機構をコンパクトに集積し、常に持ち運ぶカバンに本来のカバンとしての機能を損なわず装備し、必要な電源を簡便に確保可能とする。
【図面の簡単な説明】
【図１】本発明の充電器搭載カバンの実施形態のカバンの外部に太陽電池パネルを取り付けた実施例を示している。
【図２】自己発電と、外部のＡＣ電源またはＤＣ電源からの入力プラグを併設した場合の第１の構成例を示している。
【図３】自己発電と、外部のＡＣ電源またはＤＣ電源からの入力プラグを併設した場合の第２の構成例を示している。
【図４】自己発電と、外部のＡＣ電源またはＤＣ電源からの入力プラグを併設した場合の第３の構成例を示している。
【図５】図３に示した第１の発電装置例をより具体的に示している。
【図６】図４に示した第２の発電装置例をより具体的に示している。
【図７】図５および図６の発電装置のより詳細な構成内容を示している。
【図８】振り子シーソー式の発電装置の構成例を示す第１図である。
【図９】振り子シーソー式の発電装置の構成例を示す第２図である。
【図１０】カバン機構の実施例を示す基本機構図である。
【図１１】カバンの上部に設けられた折り畳み式の取っ手の構造例を示している。
【図１２】カバンの上部に設けられた折り畳み式の取っ手の使用状態例を示している。
【図１３】カバンの他の実施例を示している。
【図１４】取っ手部の追うよう例を示す拡大図である。
【符号の説明】
１　カバン
２　太陽電池パネル
３　取っ手
４　ＡＣ電源入力端子
５　ＤＣ電源入力端子
６　充電ユニット回路
７　バッテリー
８　ＤＣ電源出力端子
１０　永久磁石（可動マグネット）
１１　スプリング
１２　固定マグネット
１３　シャフト
１４　コイル
１５　弓状のシャフト
２０　ベアリング
２１　弓形状のベース
２２　バランサー（錘）
２５　タイヤ
３０　ＤＣモータ（ダイナモ）
４０、５０　マグネット
７０　取っ手
８０、８１　ＯＮ／ＯＦＦスイッチ
【図１】
2004040896.tif 000003
【図２】
2004040896.tif 000004
【図３】
2004040896.tif 000005
【図４】
2004040896.tif 000006
【図５】
2004040896.tif 000007
【図６】
2004040896.tif 000008
【図７】
2004040896.tif 000009
【図８】
2004040896.tif 000010
【図９】
2004040896.tif 000011
【図１０】
2004040896.tif 000012
【図１１】
2004040896.tif 000013
【図１２】
2004040896.tif 000014
【図１３】
2004040896.tif 000015
【図１４】
2004040896.tif 000016